(57)【要約】【課題】ｎ：１（ｎは３以上の自然数）のインターレース読出し方式の撮像素子を用いても、縦筋状の白ノイズの発生を抑制し、また黒レベルのクランプミスによる信号シェーディングを抑制することのできる機能を備えた電子カメラを提供する。【解決手段】２次元に配置された複数のフォトダイオードの電荷を転送路を介して外部に読み出し可能なｎ：１（ｎは３以上の自然数）インターレース読出しの撮像素子（４）と、撮像素子の露光が終了してからフォトダイオードの電荷を転送路に読み出すまでの間に転送路に蓄積された不要電荷を通常の速度で転送するための不要電荷掃き出し手段（７）と、不要電荷を掃き出した後にフォトダイオードの電荷を撮像素子の外部に読み出す信号読出し手段（７）と、信号読出し手段で読み出された信号を映像信号に変換する変換手段（５）とを備えた電子カメラである。【選択図】　　図１
2004147207.tif 000002
【特許請求の範囲】
【請求項１】
２次元に配置された複数のフォトダイオードの電荷を転送路を介して外部に読み出し可能なｎ：１（ｎは３以上の自然数）インターレース読出しの撮像素子と、
前記転送路に蓄積された不要電荷を前記転送路を通常の速度で転送するための不要電荷掃き出し手段と、
前記不要電荷を掃き出した後に、前記フォトダイオードの電荷を前記撮像素子の外部に読み出す信号読出し手段と、
前記信号読出し手段で読み出された信号を映像信号に変換する変換手段とを備え、
前記不要電荷掃き出し手段は、前記撮像素子の露光が終了してから、前記フォトダイオードの電荷を前記転送路に読み出すまでの間に、前記転送路に蓄積された不要電荷を前記転送路を通常の速度で転送することを特徴とする電子カメラ。
【請求項２】
２次元に配置された複数のフォトダイオードの電荷を転送路を介して外部に読み出し可能なｎ：１（ｎは３以上の自然数）インターレース読出しの撮像素子と、
前記転送路に蓄積された不要電荷を前記転送路を通常の速度で転送するための不要電荷掃き出し手段と、
前記不要電荷を掃き出した後に、前記フォトダイオードの電荷を前記撮像素子の外部に読み出す信号読出し手段と、
前記信号読出し手段で読み出された信号を映像信号に変換する変換手段とを備え、
前記不要電荷掃き出し手段は、前記撮像素子の露光が終了してから、前記フォトダイオードの電荷を前記転送路に読み出すまでの間に、前記転送路に蓄積された不要電荷を前記転送路を通常の速度で転送するためのフレーム期間を有することを特徴とする電子カメラ。
【請求項３】
前記不要電荷掃き出し手段が前記不要電荷を掃き出している間に前記映像信号の黒レベルをクランプするクランプ手段を備えたことを特徴とする請求項１又は２に記載の電子カメラ。
【請求項４】
前記不要電荷掃き出し手段は、前記不要電荷を転送する期間の長さを被写体輝度に対応して定めることを特徴とする請求項１乃至３の内いずれかに記載の電子カメラ。
【請求項５】
前記電子カメラは連写モードを有し、前記不要電荷掃き出し手段は、連写モードで撮影するときは前記不要電荷を転送する期間の長さを、その他のモードで不要電荷を転送するときに比べて短くすることを特徴とする請求項１乃至３の内いずれかに記載の電子カメラ。
【請求項６】
前記不要電荷掃き出し手段は、前記不要電荷を転送する期間の長さを、前記クランプ手段のクランプ動作が安定するまでの時間に対応して定めることを特徴とする請求項３に記載の電子カメラ。
【請求項７】
前記不要電荷掃き出し手段は、前記不要電荷を転送する期間の長さを、前記不要電荷を完全に掃き出すために必要な時間と、前記クランプ動作が安定するまでの時間の内いずれか長い方の時間に基づいて定めることを特徴とする請求項３に記載の電子カメラ。
【発明の詳細な説明】
【０００１】
【発明の属する技術分野】
本発明は電子カメラに関し、特にｎ：１（ｎは３以上の自然数）インターレース読出し方式の撮像素子を用いた電子カメラに関する。
【０００２】
【従来の技術】
従来、２：１インターレース読出し方式の撮像素子を用いた電子カメラにおいては、撮像素子の転送路にある不要電荷を高速で掃き出した後、各画素の電荷を転送路に読み出して転送路中を通常の速度で転送して信号電荷を取り出していた（例えば、特許文献１参照）。
【０００３】
また、所要の解像度の撮像信号を得るため、電子カメラの撮影モード毎に、例えば、モニタモード（動画表示モード）とスチルモード（静止画撮影モード）とで基板電圧Ｖｓｕｂを切り替えて取り扱い電荷を制御する手法も従来の電子カメラに使用されている。
【０００４】
そして、これらの技術は、ｎ：１（ｎは３以上の自然数）のインターレース読出し方式の撮像素子を用いた電子カメラにおいても同様に適用することが可能である。
【０００５】
【特許文献１】
特開２０００−１６５７５８号公報
【０００６】
【発明が解決しようとする課題】
しかしながら、ｎ：１（ｎは３以上の自然数）のインターレース読出し方式の撮像素子では、高速で掃き出すと不要電荷が残ってしまうという問題点がある。
【０００７】
図９は、３：１インターレース読出し方式の撮像素子のフィールド読出し方法を示す図である。従来の２：１インターレース読出し方式の撮像素子では、奇数フィールドと偶数フィールドの電荷が読み出されて１フレームが構成されていた（以下、「２フィールド読出し方式」という）が、この３：１インターレース読出し方式の撮像素子では、図９に示すように、３フィールド毎の電荷が読み出されて１フレームが構成される（以下、「３フィールド読出し方式」という）。
【０００８】
図１０は、３フィールド読出し方式の素子構造を２フィールド読出し方式の素子構造と比較して示す図である。
【０００９】
３フィールド読出し方式の撮像素子では、１画素当りの電荷を３段の垂直転送部を用いて転送することができるため、一段当りの垂直転送部の面積を小さくすることが可能である。これによって、フォトダイオード部の受光面積を拡大できるため、撮像素子の受光感度を上げることができる。
【００１０】
しかし、一段当りの垂直転送部の面積を小さくすることで、高速掃き出し時の電荷の転送効率が悪くなる。この結果、垂直転送部に不要電荷が残ってしまい、縦筋状の白ノイズが発生する。
【００１１】
また、ｎ：１（ｎは３以上の自然数）のインターレース読出し方式の撮像素子でも、基板電圧Ｖｓｕｂの切り替えによって黒レベルのクランプミスが発生し画像に信号シェーディングが生じるという問題点がある。
図１１は、クランプミスの原因を説明する図である。
【００１２】
モニタモードからスチルモードに切り替えるための信号ＳＵＢＳＷが入力されたときには、取り扱い電荷を増加させるため、基板電圧Ｖｓｕｂが低電圧に切り替わる。このとき、ＣＣＤ出力の信号レベルにはわずかではあるがレベル差が生ずる。
【００１３】
図１１には、モニタモードでのＣＣＤ出力波形（ａ部）と、スチルモードでのＣＣＤ出力波形（ｂ部）を拡大して表わしている。この両波形には基板電圧Ｖｓｕｂの切り替えに伴うレベル差ｘが生じている。
【００１４】
また、この拡大されたＣＣＤ出力波形（ａ部、ｂ部）は映像期間とオプチカルブラック部の波形を表わしているが、この内、サンプルパルスであるオプチカルブラッククランプパルスＯＢＣＬＰが出力されている期間（ｃ部）において、オプチカルブラック部の信号は映像信号の黒レベル基準信号としてクランプされる。
【００１５】
ところが、クランプ回路は時定数が長いため、レベル差ｘの変化にすぐに追従することができず、この結果として黒レベルのクランプミスが発生する。レベル差ｘがわずかであっても、クランプ回路後段の増幅器においてゲインが高い場合は無視できないレベルにまで増幅されることとなり、画像に信号シェーディングを生じさせてしまうのである。
【００１６】
本発明は係る事情に鑑みてなされたものであって、ｎ：１（ｎは３以上の自然数）のインターレース読出し方式の撮像素子を用いても、縦筋状の白ノイズの発生を抑制し、また黒レベルのクランプミスによる信号シェーディングを抑制することのできる機能を備えた電子カメラを提供することを目的とする。
【００１７】
【課題を解決するための手段】
上記課題を解消するための本発明は、２次元に配置された複数のフォトダイオードの電荷を転送路を介して外部に読み出し可能なｎ：１（ｎは３以上の自然数）インターレース読出しの撮像素子と、転送路に蓄積された不要電荷を転送路を通常の速度で転送するための不要電荷掃き出し手段と、不要電荷を掃き出した後に、フォトダイオードの電荷を撮像素子の外部に読み出す信号読出し手段と、信号読出し手段で読み出された信号を映像信号に変換する変換手段とを備え、不要電荷掃き出し手段は、撮像素子の露光が終了してからフォトダイオードの電荷を転送路に読み出すまでの間に、転送路に蓄積された不要電荷を転送路を通常の速度で転送する電子カメラである。
【００１８】
ここで、通常の速度で転送するとは、掃き出しのために電荷をまとめて転送する所謂高速転送によって電荷を転送するのではなく、画像表示等のために電荷読出しを行うときの速度で転送することをいう。
【００１９】
また本発明は、２次元に配置された複数のフォトダイオードの電荷を転送路を介して外部に読み出し可能なｎ：１（ｎは３以上の自然数）インターレース読出しの撮像素子と、転送路に蓄積された不要電荷を転送路を通常の速度で転送するための不要電荷掃き出し手段と、不要電荷を掃き出した後に、フォトダイオードの電荷を撮像素子の外部に読み出す信号読出し手段と、信号読出し手段で読み出された信号を映像信号に変換する変換手段とを備え、不要電荷掃き出し手段は、撮像素子の露光が終了してからフォトダイオードの電荷を転送路に読み出すまでの間に、転送路に蓄積された不要電荷を転送路を通常の速度で転送するためのフレーム期間を有する電子カメラである。
【００２０】
また本発明は、上記記載の発明である電子カメラにおいて、不要電荷掃き出し手段が不要電荷を掃き出している間に映像信号の黒レベルをクランプするクランプ手段を備えた電子カメラである。
【００２１】
また本発明は、上記記載の発明である電子カメラにおいて、不要電荷掃き出し手段は、不要電荷を転送する期間の長さを被写体輝度に対応して定める電子カメラである。
【００２２】
また本発明は、上記記載の発明である電子カメラにおいて、電子カメラは連写モードを有し、不要電荷掃き出し手段は、連写モードで撮影するときは不要電荷を転送する期間の長さを、その他のモードで不要電荷を転送するときに比べて短くする電子カメラである。
【００２３】
また本発明は、上記記載の発明である電子カメラにおいて、不要電荷掃き出し手段は、不要電荷を転送する期間の長さをクランプ手段のクランプ動作が安定するまでの時間に対応して定める電子カメラである。
【００２４】
また本発明は、上記記載の発明である電子カメラにおいて、不要電荷掃き出し手段は、不要電荷を転送する期間の長さを、不要電荷を完全に掃き出すために必要な時間と、クランプ動作が安定するまでの時間の内いずれか長い方の時間に基づいて定める電子カメラである。
【００２５】
【発明の実施の形態】
図１は、本発明に係る電子カメラの構成を示すブロック図である。
【００２６】
本電子カメラは、各部を統括的に制御するためのメインＣＰＵ１、レンズ２、露出を制御するための絞り機構３、被写界光を電気信号に変換する撮像素子４、撮像素子４の信号を映像信号に変換する撮像回路５、撮像素子４の駆動用タイミング信号を生成するＴＧ回路６及び撮像素子４の転送動作を制御するＣＣＤドライバ７で構成されている。
【００２７】
本電子カメラにおいては、メインＣＰＵ１が全ての制御を統括的に行っており、撮像素子４の信号の読出し制御、画像処理、露出制御に係る一連の処理を担っている。
【００２８】
図２は、撮像回路の内、相関２重サンプリング回路周辺の回路構成を示す図である。
【００２９】
ＣＣＤ出力信号は、カップリングコンデンサ１１を介して直流成分が除去された後、ＣＤＳ（相関２重サンプリング）回路１２において雑音の軽減が図られる。そして、増幅器１３で信号増幅された後、ＡＤ変換回路１４でデジタル信号に変換され、次段において信号処理される。ここで、メインＣＰＵ１から指示された増幅器１３の増幅率は、ゲイン設定回路１５が受け取って増幅器１３に設定する。
【００３０】
ＣＤＳ回路１２はＣＣＤ出力波形の内、電荷がリセットされている期間（フィードスルー期間）と信号が出力されている期間（シグナル期間）のＣＣＤ出力レベルの差を取ることによって雑音を低減する。
【００３１】
そこで、フィードスルー期間に出力されるサンプルホールドパルスＳＨＰによってフィードスルーレベル保存回路１６がフィードスルー期間の信号レベルを保存するとともに、シグナル期間に出力されるサンプルホールドパルスＳＨＤによってＣＤＳ回路１２はシグナル期間の信号レベルを獲得してレベル差を演算する。
【００３２】
また、ＣＣＤ出力波形のうち上述のオプチカルブラック部の信号は、オプチカルブラッククランプパルスＯＢＣＬＰが出力されている期間にフィードバックアンプ１７を介してＣＤＳ回路１２に帰還され黒レベルの基準信号として処理される。
【００３３】
図３は、本発明に係る電子カメラの第１の実施の形態の動作を示すタイミングチャートである。垂直同期信号ＶＤの間隔をフレーム期間といい、図３にはフレーム期間を特定するために番号を付している。第１の実施の形態では、本露光動作と第１フィールドの読出し動作の間に新たなフレーム期間を設けてダミー動作（動作については以下に詳述する）を行わせた点が従来と異なっている。
【００３４】
撮影者がレリーズ操作を行うと、第１フレーム期間において測光がなされ、この測光値に基づいて絞り、露光時間などの撮影条件が定められる。そして、第３フレーム期間においてスチル撮影用の露光が行われる。この第３フレーム期間で撮影モードがモニタモードからスチルモードに切り替えられ、基板電圧Ｖｓｕｂが低電圧に切り替えられるとともにメカシャッタが閉とされる。
【００３５】
第４フレーム期間においては、従来の動作とは異なり、撮像素子４のフォトダイオードからの電荷の読出しは行わず、ＣＣＤドライブ７からの垂直駆動信号（Ｖ１〜Ｖ６）の動作により電荷を通常の速度で転送するだけのダミー動作を継続する。
【００３６】
ここで、通常の速度で転送するとは、掃き出しのために電荷をまとめて転送する所謂高速転送によって電荷を転送するのではなく、画像表示等のために電荷読出しを行うときの速度で転送することをいう。
【００３７】
以下、第４フレーム期間のようにダミー動作を継続するフレーム期間をダミー期間という。
【００３８】
そしてこのダミー動作中においてもＴＧ回路６は、オプチカルブラッククランプパルスＯＢＣＬＰを動作させることによって黒レベルのクランプ動作を継続する。
【００３９】
次に、第５フレーム期間において、垂直駆動信号Ｖ３Ａ、Ｖ３Ｂに高電圧パルスを印加して第１フィールドの電荷読出しと転送動作を行う。そして、第６フレーム期間において、垂直駆動信号Ｖ１に高電圧パルスを印加して第２フィールドの電荷読出しと転送動作を行う。そして、第７フレーム期間において、垂直駆動信号Ｖ５Ａ、Ｖ５Ｂに高電圧パルスを印加して第３フィールドの電荷読出しと転送動作を行う。
【００４０】
第８フレーム期間においては、撮影モードがスチルモードからモニタモードに切り替えられ、基板電圧Ｖｓｕｂが高電圧に切り替えられる。
【００４１】
第１の実施の形態では、本露光動作と第１フィールドの読出し動作の間に新たなフレーム期間を設けてダミー動作を行わせた点が従来と異なっている。このダミー動作によって垂直転送路にある不要電荷の掃き出しが十分に行われるため、スミアの発生を抑制することができる。また、このダミー動作に合せてオプチカルブラッククランプパルスＯＢＣＬＰを継続して動作させることによって黒レベルのクランプ動作を継続させる。この結果、ダミー期間においてクランプ回路の追従動作が安定し、ＣＣＤ出力の信号レベル差によるクランプミスを防止して、信号シェーディングを抑制することができる。
【００４２】
図４は、本発明に係る電子カメラの第２の実施の形態の動作を示すタイミングチャートである。本実施の形態では、第１の実施の形態のダミー期間長を被写体輝度に対応して変更する点が異なっている。図４の（１）は被写体輝度が高い場合のタイミングチャートを表わし、図４の（２）〜（４）と被写体輝度が低くなるにつれてダミー期間は短く制御されている。
【００４３】
撮影者がレリーズ操作を行うと、第１フレーム期間において測光がなされ、この測光値に基づいて絞り、露光時間などの撮影条件が定められるとともに、ダミー期間長が決められる。そして、第３フレーム期間において本露光が行われる。この第３フレーム期間で撮影モードがモニタモードからスチルモードに切り替えられ、基板電圧Ｖｓｕｂが低電圧に切り替えられるとともに第１の実施の形態と同様にメカシャッタが閉とされる。
【００４４】
第４フレーム期間においては、第１の実施の形態と同様に、撮像素子４からの電荷の読出しは行わず、ＣＣＤドライバ７からの垂直駆動信号（Ｖ１〜Ｖ６）の動作により電荷を通常の速度で転送するだけのダミー動作を継続する。このダミー期間長即ち、ダミー動作の継続する時間は、被写体輝度が高ければ長く、被写体輝度が低ければ短く設定される。ここでダミー期間長は被写体輝度に対応して連続的に変更するものでも良く、また段階的に変更するものであっても良い。更に、第３フレーム期間と第４フレーム期間の合計時間が略所定の値となるように、本露光時間に基づいてダミー期間長を定めるように構成しても良い。
【００４５】
尚、このダミー動作中においても第１の実施の形態と同様に、ＴＧ回路６はオプチカルブラッククランプパルスＯＢＣＬＰを動作させることによって黒レベルのクランプ動作を継続する。そして、第５フレーム期間〜第８フレーム期間は第１の実施の形態と同様の動作を行う。
【００４６】
本実施の形態によれば、被写体輝度が高い場合には垂直転送路に残っている不要電荷の量が多いことが推定されるため、被写体輝度に対応してダミー期間長を定めることによって、不要電荷の掃き出しを確実に行うことが可能となる。また、ダミー期間においてクランプ回路の追従動作が安定するため、ＣＣＤ出力の信号レベル差によるクランプミスを防止して、信号シェーディングを抑制することができる。
【００４７】
図５は、本発明に係る電子カメラの第３の実施の形態の動作を示すタイミングチャートである。本実施の形態では、ダミー期間長を連写撮影では、１枚撮影時よりも短くする点が第１の実施の形態と異なっている。図５の（１）は１枚撮影時のタイミングチャートを表わし、図５の（２）は、連写撮影時のタイミングチャートを表わしている。
【００４８】
図５の（２）の連写撮影時では、撮影者がレリーズ操作を行うと、第１フレーム期間において測光がなされ、この測光値に基づいて絞り、露光時間などの撮影条件が定められるとともに、ダミー期間長が決められる。この際、撮影モードが連写撮影のときは、１枚撮影時よりも短いダミー時間が設定される。
【００４９】
そして、第３フレーム期間において本露光が行われる。この第３フレーム期間で撮影モードがモニタモードからスチルモードに切り替えられ、基板電圧Ｖｓｕｂが低電圧に切り替えられるとともに第１の実施の形態と同様にメカシャッタが閉とされる。
【００５０】
第４フレーム期間においては、第１の実施の形態と同様に、撮像素子４からの電荷の読出しは行わず、ＣＣＤドライバ７からの垂直駆動信号（Ｖ１〜Ｖ６）の動作により電荷を通常の速度で転送するダミー動作を継続する。このダミー動作中においても第１の実施の形態と同様に、ＴＧ回路６はオプチカルブラッククランプパルスＯＢＣＬＰを動作させることによって黒レベルのクランプ動作を継続する。そして、第５フレーム期間〜第８フレーム期間は第１の実施の形態と同様の動作を行う。
【００５１】
そして、第９フレーム期間からは、第１フレーム期間での動作である再度の測光は行わず、第３フレーム期間から第８フレーム期間までの動作を撮影終了まで繰り返す。
【００５２】
本第３の実施の形態においては、連写モードではダミー期間長を、その他のモードにおけるダミー期間長よりも短くしているため、連写動作を妨げることなく効果的に不要電荷を掃き出すことができる。また、ダミー期間においてクランプ回路の追従動作が安定するため、ＣＣＤ出力の信号レベル差によるクランプミスを防止して、信号シェーディングを抑制することができる。
【００５３】
図６は、本発明に係る電子カメラの第４の実施の形態の動作を示すタイミングチャートである。本実施の形態では、ダミー期間長は、黒レベルのクランプ動作が安定するまでの時間、即ちクランプ収束時間に対応して決定される点が第１の実施の形態と異なっている。図６の（１）はクランプ収束時間が短いときのタイミングチャートを表わし、図６の（２）は、クランプ収束時間が長いときのタイミングチャートを表わしている。
【００５４】
ここで、クランプ収束時間は、一般に基板電圧Ｖｓｕｂを切り替えた時のレベル差ｘの大きさに依存する。即ち、基板電圧Ｖｓｕｂの切り替え電圧に大きく支配される。一方、基板電圧Ｖｓｕｂの切り替え電圧は撮像素子４の種類、電子カメラの種類によって適切な値に定められる。
【００５５】
従って、本第４の実施の形態によれば、電子カメラ毎に予め定められた適正なダミー期間長を用いて不要電荷の掃き出しを適切に行うことができる。また、ダミー期間においてクランプ回路の追従動作が安定するため、ＣＣＤ出力の信号レベル差によるクランプミスを防止して、信号シェーディングを抑制することができる。
【００５６】
図７は、本発明に係る電子カメラの第５の実施の形態の動作を示すタイミングチャートである。本実施の形態では、ダミー期間長は、黒レベルのクランプ動作が安定するまでの時間、即ちクランプ収束時間と、不要電荷の掃き出しに必要とされる時間との内、いずれか長い方に対応して決定される点が第１の実施の形態と異なっている。ここで、図７の（１）はクランプ収束時間が不要電荷掃き出しに必要な時間よりも長いときのタイミングチャートを表わし、図７の（２）は、クランプ収束時間が不要電荷掃き出しに必要な時間よりも短いときのタイミングチャートを表わしている。
【００５７】
撮影者がレリーズ操作を行うと、第１フレーム期間において測光がなされ、この測光値に基づいて絞り、露光時間などの撮影条件が定められる。そして次に、クランプ収束時間と不要電荷掃き出しに必要な時間とが比較される。図７の（１）に示すように、クランプ収束時間が不要電荷掃き出しに必要な時間よりも長いとき、ダミー期間長はクランプ収束時間に合せて決定され、図７の（２）に示すように、クランプ収束時間が不要電荷掃き出しに必要な時間よりも短いとき、ダミー期間長は不要電荷掃き出しに必要な時間に合せて決定される。
【００５８】
そして、第３フレーム期間において本露光が行われる。この第３フレーム期間で撮影モードがモニタモードからスチルモードに切り替えられ、基板電圧Ｖｓｕｂが低電圧に切り替えられるとともにメカシャッタが閉とされる。
【００５９】
第４フレーム期間においては、上述のようにして決定されたダミー期間において、第１の実施の形態と同様に、撮像素子４からの電荷の読出しは行わず、ＣＣＤドライバ７からの垂直駆動信号（Ｖ１〜Ｖ６）の動作により電荷を通常の速度で転送するだけのダミー動作を継続する。そしてこのダミー動作中においてもＴＧ回路６はオプチカルブラッククランプパルスＯＢＣＬＰを動作させることによって黒レベルのクランプ動作を継続する。そして、第５フレーム期間〜第８フレーム期間においても第１の実施の形態と同様の動作を行う。
【００６０】
本第５の実施の形態によれば、クランプ収束時間と不要電荷掃き出しに必要な時間の内、少なくとも１つの時間が撮像条件に応じて可変となるように構成しても、適正なダミー期間長を用いて不要電荷の掃き出しを適切に行うことができる。また、ダミー期間においてクランプ回路の追従動作が安定するため、ＣＣＤ出力の信号レベル差によるクランプミスを防止して、信号シェーディングを抑制することができる。
【００６１】
図８は、本発明に係る電子カメラの第６の実施の形態の動作を示すタイミングチャートである。本実施の形態では、通常速度での電荷転送動作と高速転送動作を組み合わせて構成している点が第１の実施の形態と異なっている。
【００６２】
第１フレーム期間〜第３フレーム期間での動作は第１の実施の形態と同様である。そして、第４フレーム期間では、上述のダミー動作を所定時間継続した後に高速転送動作（ｄ部）を行い、その後に第５フレーム期間において第１フィールドの電荷読出しを行う。更に、第５フレーム期間では読み出した電荷の転送動作の後に高速転送動作（ｄ部）を行い、その後に第６フレーム期間において第２フィールドの電荷読出しを行う。同様に、第６フレーム期間では読み出した電荷の転送動作の後に高速転送動作（ｄ部）を行い、その後に第７フレーム期間において第３フィールドの電荷読出しと電荷転送動作を行う。
【００６３】
本実施の形態では、第１フィールド〜第３フィールドの読出し動作の前に通常速度での電荷転送動作と高速転送動作を行って不要電荷を掃き出すように構成している。従って、通常速度での電荷転送動作により不要電荷の掃き出しが先立って行われているため、高速転送の効率が悪い場合であっても不要電荷掃き出し動作を確実に実行することができ、更に第１〜第５の実施の形態と比較して、高速転送動作を組み合わせることでダミー期間長を短縮することが可能である。また、第１フィールド〜第３フィールドの読出し動作の前の高速転送により、垂直転送路の暗電流の掃き出しを行うことができる。さらに、ダミー期間においてクランプ回路の追従動作が安定するため、ＣＣＤ出力の信号レベル差によるクランプミスを防止して、信号シェーディングを抑制することができる。
【００６４】
尚、上述の各動作は、メインＣＰＵ１にプログラムとして組み込んで実現するものであっても良く、また個別にハードウエアを用いて構成するものであっても良い。また、それぞれの機能を分割してメインＣＰＵ１とハードウエアを組み合わせて構成しても良い。
【００６５】
尚、上記実施形態には種々の段階の発明が含まれているため、開示される複数の構成要件における適宜な組み合わせにより種々の発明を抽出することができる。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出できる。
【００６６】
【発明の効果】
以上説明したように本発明の電子カメラによれば、ｎ：１（ｎは３以上の自然数）のインターレース読出し方式の撮像素子を用いても、縦筋状の白ノイズの発生を抑制し、また黒レベルのクランプミスによる信号シェーディングを抑制することが可能となる。
【図面の簡単な説明】
【図１】本発明に係る電子カメラの構成を示すブロック図。
【図２】相関２重サンプリング回路周辺の回路構成を示す図。
【図３】本発明に係る電子カメラの第１の実施の形態の動作を示すタイミングチャート。
【図４】本発明に係る電子カメラの他の実施の形態の動作を示すタイミングチャート。
【図５】本発明に係る電子カメラの他の実施の形態の動作を示すタイミングチャート。
【図６】本発明に係る電子カメラの他の実施の形態の動作を示すタイミングチャート。
【図７】本発明に係る電子カメラの他の実施の形態の動作を示すタイミングチャート。
【図８】本発明に係る電子カメラの他の実施の形態の動作を示すタイミングチャート。
【図９】撮像素子のフィールド読出し方法を示す図。
【図１０】３フィールド読出し方式の素子構造を２フィールド読出し方式の素子構造と比較して示す図。
【図１１】クランプミスの原因を説明する図。
【符号の説明】
１…メインＣＰＵ
４…撮像素子
５…撮像回路
６…ＴＧ回路
７…ＣＣＤドライバ
１２…ＣＤＳ回路
【図１】
2004147207.tif 000003
【図２】
2004147207.tif 000004
【図３】
2004147207.tif 000005
【図４】
2004147207.tif 000006
【図５】
2004147207.tif 000007
【図６】
2004147207.tif 000008
【図７】
2004147207.tif 000009
【図８】
2004147207.tif 000010
【図９】
2004147207.tif 000011
【図１０】
2004147207.tif 000012
【図１１】
2004147207.tif 000013